(57)【特許請求の範囲】
【請求項１】
下記式（Ｉ）で示されるトリエン誘導体の製造方法であって、
【化１】
0004346199.tif 000018
（式中、Ｒ1、Ｒ2、Ｒ3及びＲ4は、それぞれ、互いに独立し、同一または異なって、水素原子；ハロゲン原子を含む置換基を有していてもよいＣ1〜Ｃ40炭化水素基；ハロゲン原子を含む置換基を有していてもよいＣ1〜Ｃ40アルコキシ基；ハロゲン原子を含む置換基を有していてもよいＣ6〜Ｃ40アリールオキシ基；アミン基；水酸基；又はシリル基であり、ただし、Ｒ2及びＲ3は、互いに架橋してＣ6〜Ｃ40飽和又は不飽和環を形成してもよく、前記飽和又は不飽和環は、酸素原子、硫黄原子、又は式−Ｎ（Ｒ9）−で示される基（式中、Ｒ9は水素原子又はＣ1〜Ｃ40炭化水素基である。）で中断されていてもよく、かつ、置換基を有していてもよい。Ｒ5、Ｒ6、Ｒ7及びＲ8は、それぞれ、互いに独立し、同一または異なって、水素原子；又はハロゲン原子を含む置換基を有していてもよいＣ1〜Ｃ40炭化水素基である。）
下記式（ＩＩ）で示されるメタラシクロペンタジエンを、
【化２】
0004346199.tif 000019
（式中、Ｒ1、Ｒ2、Ｒ3及びＲ4は、上記の意味を有する。Ｍは、チタン、ジルコニウム又はハフニウムを示し；Ｌ1及びＬ2は、互いに独立し、同一または異なって、非局在化環状η5−配位系配位子を示し、ただし、Ｌ1及びＬ2は、架橋されていてもよい。）
亜鉛塩及びパラジウム触媒の存在下、下記式（ＩＩＩ）で示されるアルケンと
【化３】
0004346199.tif 000020
（式中、Ｒ5、Ｒ6、Ｒ7、及びＲ8は、上記の意味を有する。Ｙは、ハロゲン原子又はｐ−トルエンスルホニルオキシ基を示す。）
反応させることを特徴とするトリエン誘導体の製造方法。
【請求項２】
Ｒ1及びＲ2が同一の基であるか、Ｒ3及びＲ4が同一の基であるか、又は、Ｒ1及びＲ4が同一の基である、請求項１に記載のトリエン誘導体の製造方法。
【請求項３】
Ｒ1及びＲ3が異なる基であるか、又は、Ｒ1及びＲ4が異なる基である、請求項１又は２に記載のトリエン誘導体の製造方法。
【請求項４】
Ｒ5及びＲ6は、それぞれ、互いに独立し、同一または異なって、水素原子；又はハロゲン原子で置換されていても良いＣ1〜Ｃ6アルキル基である、請求項１、２又は３に記載のトリエン誘導体の製造方法。
【請求項５】
前記非局在化環状η5−配位系配位子が、置換されていてもよいシクロペンタジエニル基、インデニル基、フルオレニル基又はアズレニル基である請求項１〜４の何れかに記載のトリエン誘導体の製造方法。
【請求項６】
Ｍが、ジルコニウムである請求項１〜５の何れかに記載のトリエン誘導体の製造方法。
【請求項７】
前記パラジウム触媒は、パラジウム錯体であり、前記パラジウム錯体では、ハロゲン原子を含む置換基を有していてもよいＣ1〜Ｃ40アルキルカルボニルオキシ基、ハロゲン原子を含む置換基を有していてもよいＣ1〜Ｃ40アリールカルボニルオキシ基、ホスフィン、ホスファイト、アミン若しくはハロゲン原子の少なくとも一つが配位子として、パラジウム金属に結合している、請求項１〜６の何れかに記載のトリエン誘導体の製造方法。
【請求項８】
下記式（ＩＶａ）又は（ＩＶｂ）で示されるナフタレン誘導体の製造方法であって、
【化４】
0004346199.tif 000021
（式中、Ｒ3及びＲ4は、それぞれ、互いに独立し、同一または異なって、水素原子；ハロゲン原子を含む置換基を有していてもよいＣ1〜Ｃ40炭化水素基；ハロゲン原子を含む置換基を有していてもよいＣ1〜Ｃ40アルコキシ基；ハロゲン原子を含む置換基を有していてもよいＣ6〜Ｃ40アリールオキシ基；アミン基；水酸基；又はシリル基であり、Ｒ5、Ｒ7及びＲ8は、それぞれ、互いに独立し、同一または異なって、水素原子；又はハロゲン原子を含む置換基を有していてもよいＣ1〜Ｃ40炭化水素基であり、ｎは、１〜３の整数であり、Ａは、それぞれ、互いに独立し、同一または異なって、水素原子、ハロゲン原子、ハロゲン原子を含む置換基を有していてもよいＣ1〜Ｃ40炭化水素基；ハロゲン原子を含む置換基を有していてもよいＣ1〜Ｃ40アルコキシ基；ハロゲン原子を含む置換基を有していてもよいＣ6〜Ｃ40アリールオキシ基；又はシリル基である。）
下記式（ＩＩａ）で示されるメタラインデンを、
【化５】
0004346199.tif 000022
（式中、Ｒ3及びＲ4は、上記の意味を有する。Ｍは、チタン、ジルコニウム又はハフニウムを示し；Ｌ1及びＬ2は、互いに独立し、同一または異なって、非局在化環状η5−配位系配位子を示し、ただし、Ｌ1及びＬ2は、架橋されていてもよい。）
亜鉛塩及びパラジウム触媒の存在下、下記式（ＩＩＩ）で示されるアルケンと
【化６】
0004346199.tif 000023
（式中、Ｒ5、Ｒ7、Ｒ8、ｎ及びＡは、上記の意味を有する。Ｙは、ハロゲン原子又はｐ−トルエンスルホニルオキシ基を示す。）
反応させることを特徴とするナフタレン誘導体の製造方法。
【請求項９】
Ｒ5は、水素原子；又はハロゲン原子で置換されていても良いＣ1〜Ｃ6アルキル基である、請求項８に記載のナフタレン誘導体の製造方法。
【請求項１０】
前記非局在化環状η5−配位系配位子が、置換されていてもよいシクロペンタジエニル基、インデニル基、フルオレニル基又はアズレニル基である請求項８又は９に記載のナフタレン誘導体の製造方法。
【請求項１１】
Ｍが、ジルコニウムである請求項８〜１０の何れかに記載のナフタレン誘導体の製造方法。
【請求項１２】
前記パラジウム触媒は、パラジウム錯体であり、前記パラジウム錯体では、ハロゲン原子を含む置換基を有していてもよいＣ1〜Ｃ40アルキルカルボニルオキシ基、ハロゲン原子を含む置換基を有していてもよいＣ1〜Ｃ40アリールカルボニルオキシ基、ホスフィン、ホスファイト、アミン若しくはハロゲン原子の少なくとも一つが配位子として、パラジウム金属に結合している、請求項８〜１１の何れかに記載のナフタレン誘導体の製造方法。
【発明の詳細な説明】
【０００１】
【発明の属する技術分野】
本発明は、トリエン誘導体の製造方法及びナフタレン誘導体の製造方法に関し、特に、メタラシクロペンタジエンのモノアリル化による、１，３，６−トリエンの製造方法及びナフタレン誘導体の製造方法に関する。
【０００２】
【従来の技術及び発明が解決しようとする課題】
１，３，６−トリエン誘導体及びナフタレン誘導体は、医薬、農薬、ファインケミカル等で幅広く用いられいる中間体である。そこで、簡易に１，３，６−トリエンを生成することが求められる。
【０００３】
従来、塩化銅（Ｉ）及び塩化リチウムの存在下、ジルコナシクロペンタジエンをジアリル化し、１，４，６，９−テトラエンを生成し、次いで、このテトラエンを環化することにより、８員環と５員環との縮合環を形成することが報告されている（Ｔａｋａｈａｓｈｉ  ｅｔ  ａｌ．  Ｏｒｇａｎｏｍｅｔａｌｌｉｃｓ、１９９４，１３，４１８３−４１８５）。
【０００４】
しかし、ジルコナシクロペンタジエンをモノアリル化することは未だ報告されていなかった。
【０００５】
そこで、本発明者が鋭意研究した結果、亜鉛塩及びパラジウム触媒の存在下で反応を行うと、ジルコナシクロペンタジエンの炭化水素部分の一方のみをアリル化し、他方はアリル化しないことを見いだし、本発明の第１の側面を完成した。
【０００６】
従来、ナフタレン環に置換基を導入する際には、置換基による配向性の相違を利用して、目標化合物ごとに最適な合成スキームを検討していた。
【０００７】
しかし、このような伝統的な有機合成の手法では、ナフタレン環に導入する置換基が多くなればなるほど、合成経路が長くなり、収率が低下した。
【０００８】
また、ナフタレン環では、１，４，５，８位の炭素原子は反応性が高い一方、２，３，６，７位の炭素原子の反応性は小さい。従って、１，２，３−三置換ナフタレンのような多置換ナフタレンでは、反応性の異なる炭素原子に置換基を導入することが求められるので、合成経路が長くなり、合成が困難であった。
【０００９】
そこで、本発明者が鋭意研究した結果、亜鉛塩及びパラジウム触媒の存在下で反応を行うと、ジルコナインデンをモノアリル化し、次いで、環化反応が進行し、ナフタレン誘導体が得られることを見いだし、本発明の第２の側面を完成した。
【００１０】
【課題を解決するための手段】
本発明の第１の側面では、下記式（Ｉ）で示されるトリエン誘導体の製造方法であって、
【００１１】
【化７】
0004346199.tif 000002
【００１２】
（式中、Ｒ1、Ｒ2、Ｒ3及びＲ4は、それぞれ、互いに独立し、同一または異なって、水素原子；ハロゲン原子を含む置換基を有していてもよいＣ1〜Ｃ40炭化水素基；ハロゲン原子を含む置換基を有していてもよいＣ1〜Ｃ40アルコキシ基；ハロゲン原子を含む置換基を有していてもよいＣ6〜Ｃ40アリールオキシ基；アミン基；水酸基；又はシリル基であり、ただし、Ｒ2及びＲ3は、互いに架橋してＣ6〜Ｃ40飽和又は不飽和環を形成してもよく、前記飽和又は不飽和環は、酸素原子、硫黄原子、又は式−Ｎ（Ｒ9）−で示される基（式中、Ｒ9は水素原子又はＣ1〜Ｃ40炭化水素基である。）で中断されていてもよく、かつ、置換基を有していてもよい。
【００１３】
Ｒ5、Ｒ6、Ｒ7及びＲ8は、それぞれ、互いに独立し、同一または異なって、水素原子；又はハロゲン原子を含む置換基を有していてもよいＣ1〜Ｃ40炭化水素基である。）
下記式（ＩＩ）で示されるメタラシクロペンタジエンを、
【００１４】
【化８】
0004346199.tif 000003
【００１５】
（式中、Ｒ1、Ｒ2、Ｒ3及びＲ4は、上記の意味を有する。
【００１６】
Ｍは、周期表の第３族〜第５族またはランタニド系列の金属を示し；
Ｌ1及びＬ2は、互いに独立し、同一または異なって、アニオン性配位子を示し、ただし、Ｌ1及びＬ2は、架橋されていてもよい。）
亜鉛塩及びパラジウム触媒の存在下、下記式（ＩＩＩ）で示されるアルケンと
【００１７】
【化９】
0004346199.tif 000004
【００１８】
（式中、Ｒ5、Ｒ6、Ｒ7、及びＲ8は、上記の意味を有する。
【００１９】
Ｙは、脱離基を示す。）
反応させることを特徴とするトリエン誘導体の製造方法が提供される。
【００２０】
本発明において、Ｒ1及びＲ2が同一の基であるか、Ｒ3及びＲ4が同一の基であるか、又は、Ｒ1及びＲ4が同一の基であることが好ましい。また、Ｒ1及びＲ3が異なる基であるか、又は、Ｒ1及びＲ4が異なる基であることが好ましい。
【００２１】
本発明において、Ｒ5及びＲ6は、それぞれ、互いに独立し、同一または異なって、水素原子；又はハロゲン原子で置換されていても良いＣ1〜Ｃ6アルキル基であることが好ましい。
【００２２】
本発明において、Ｍが、周期表第４族もしくは第５族またはランタニド系列の金属であり、前記アニオン性配位子が、非局在化環状η5−配位系配位子であることが好ましい。前記非局在化環状η5−配位系配位子が、置換されていてもよいシクロペンタジエニル基、インデニル基、フルオレニル基又はアズレニル基であることが更に好ましい。
【００２３】
本発明において、前記パラジウム触媒は、パラジウム錯体であり、前記パラジウム錯体では、ハロゲン原子を含む置換基を有していてもよいＣ1〜Ｃ40アルキルカルボニルオキシ基、ハロゲン原子を含む置換基を有していてもよいＣ1〜Ｃ40アリールカルボニルオキシ基、ホスフィン、ホスファイト、アミン若しくはハロゲン原子の少なくとも一つが配位子として、パラジウム金属に結合していることが好ましい。
【００２４】
本発明の第２の側面では、下記式（ＩＶａ）又は（ＩＶｂ）で示されるナフタレン誘導体の製造方法であって、
【００２５】
【化１０】
0004346199.tif 000005
【００２６】
（式中、Ｒ3及びＲ4は、それぞれ、互いに独立し、同一または異なって、水素原子；ハロゲン原子を含む置換基を有していてもよいＣ1〜Ｃ40炭化水素基；ハロゲン原子を含む置換基を有していてもよいＣ1〜Ｃ40アルコキシ基；ハロゲン原子を含む置換基を有していてもよいＣ6〜Ｃ40アリールオキシ基；アミン基；水酸基；又はシリル基であり、
Ｒ5、Ｒ7及びＲ8は、それぞれ、互いに独立し、同一または異なって、水素原子；又はハロゲン原子を含む置換基を有していてもよいＣ1〜Ｃ40炭化水素基であり、
ｎは、１〜３の整数であり、
Ａは、それぞれ、互いに独立し、同一または異なって、水素原子、ハロゲン原子、ハロゲン原子を含む置換基を有していてもよいＣ1〜Ｃ40炭化水素基；ハロゲン原子を含む置換基を有していてもよいＣ1〜Ｃ40アルコキシ基；ハロゲン原子を含む置換基を有していてもよいＣ6〜Ｃ40アリールオキシ基；又はシリル基である。）
下記式（ＩＩａ）で示されるメタラインデンを、
【００２７】
【化１１】
0004346199.tif 000006
【００２８】
（式中、Ｒ3及びＲ4は、上記の意味を有する。
【００２９】
Ｍは、周期表の第３族〜第５族またはランタニド系列の金属を示し；
Ｌ1及びＬ2は、互いに独立し、同一または異なって、アニオン性配位子を示し、ただし、Ｌ1及びＬ2は、架橋されていてもよい。）
亜鉛塩及びパラジウム触媒の存在下、下記式（ＩＩＩ）で示されるアルケンと
【００３０】
【化１２】
0004346199.tif 000007
【００３１】
（式中、Ｒ5、Ｒ7、Ｒ8、ｎ及びＡは、上記の意味を有する。
【００３２】
Ｙは、脱離基を示す。）
反応させることを特徴とするナフタレン誘導体の製造方法が提供される。
【００３３】
本発明において、Ｒ5は、水素原子；又はハロゲン原子で置換されていても良いＣ1〜Ｃ6アルキル基である、ことが好ましい。
【００３４】
また、Ｍが、周期表第４族もしくは第５族またはランタニド系列の金属であり、前記アニオン性配位子が、非局在化環状η5−配位系配位子である、ことが好ましい。更に、前記非局在化環状η5−配位系配位子が、置換されていてもよいシクロペンタジエニル基、インデニル基、フルオレニル基又はアズレニル基であることが好ましい。更にまた、Ｍが、ジルコニウムであることが好ましい。
【００３５】
また、前記パラジウム触媒は、パラジウム錯体であり、前記パラジウム錯体では、ハロゲン原子を含む置換基を有していてもよいＣ1〜Ｃ40アルキルカルボニルオキシ基、ハロゲン原子を含む置換基を有していてもよいＣ1〜Ｃ40アリールカルボニルオキシ基、ホスフィン、ホスファイト、アミン若しくはハロゲン原子の少なくとも一つが配位子として、パラジウム金属に結合している、ことが好ましい。
【００３６】
【発明の実施の形態】
本発明の第１の側面では、下記式（Ｉ）で示されるトリエン誘導体が合成される。
【００３７】
【化１３】
0004346199.tif 000008
【００３８】
（式中、Ｒ1、Ｒ2、Ｒ3、Ｒ5、Ｒ6，Ｒ7及びＲ8は、前記意味を有する。）
Ｒ1、Ｒ2、Ｒ3及びＲ4は、それぞれ、互いに独立し、同一または異なって、水素原子；ハロゲン原子を含む置換基を有していてもよいＣ1〜Ｃ40炭化水素基；ハロゲン原子を含む置換基を有していてもよいＣ1〜Ｃ40アルコキシ基；ハロゲン原子を含む置換基を有していてもよいＣ6〜Ｃ40アリールオキシ基；アミン基；水酸基；又はシリル基である。
【００３９】
Ｒ1、Ｒ2、Ｒ3及びＲ4は、それぞれ、互いに独立し、同一または異なって、水素原子；ハロゲン原子を含む置換基を有していてもよいＣ1〜Ｃ40炭化水素基；ハロゲン原子を含む置換基を有していてもよいＣ1〜Ｃ40アルコキシ基；ハロゲン原子を含む置換基を有していてもよいＣ6〜Ｃ40アリールオキシ基；又はシリル基であることが好ましく、水素原子；ハロゲン原子を含む置換基を有していてもよいＣ1〜Ｃ40炭化水素基；又はシリル基であることが更に好ましく、水素原子；ハロゲン原子を含む置換基を有していてもよいＣ1〜Ｃ20炭化水素基；又はシリル基であることが更になお好ましい。
【００４０】
本明細書では、Ｃ1〜Ｃ40炭化水素基は、飽和若しくは不飽和の非環式であってもよいし、飽和若しくは不飽和の環式であってもよい。Ｃ1〜Ｃ40炭化水素基が非環式の場合には、線状でもよいし、枝分かれでもよい。Ｃ1〜Ｃ40炭化水素基には、Ｃ1〜Ｃ40アルキル基、Ｃ2〜Ｃ40アルケニル基、Ｃ2〜Ｃ40アルキニル基、Ｃ3〜Ｃ40アリル基、Ｃ4〜Ｃ40アルキルジエニル基、Ｃ4〜Ｃ40ポリエニル基、Ｃ6〜Ｃ40アリール基、Ｃ6〜Ｃ40アルキルアリール基、Ｃ6〜Ｃ40アリールアルキル基、Ｃ4〜Ｃ40シクロアルキル基、Ｃ4〜Ｃ40シクロアルケニル基、（Ｃ3〜Ｃ20シクロアルキル）Ｃ1〜Ｃ20アルキル基などが含まれる。
【００４１】
Ｃ1〜Ｃ40アルキル基、Ｃ2〜Ｃ40アルケニル基、Ｃ2〜Ｃ40アルキニル基、Ｃ3〜Ｃ40アリル基、Ｃ4〜Ｃ40アルキルジエニル基、及び、Ｃ4〜Ｃ40ポリエニル基は、それぞれ、Ｃ1〜Ｃ20アルキル基、Ｃ2〜Ｃ20アルケニル基、Ｃ2〜Ｃ20アルキニル基、Ｃ3〜Ｃ20アリル基、Ｃ4〜Ｃ20アルキルジエニル基、及び、Ｃ4〜Ｃ20ポリエニル基であることが好ましく、それぞれ、Ｃ1〜Ｃ10アルキル基、Ｃ2〜Ｃ10アルケニル基、Ｃ2〜Ｃ10アルキニル基、Ｃ3〜Ｃ10アリル基、Ｃ4〜Ｃ10アルキルジエニル基、及び、Ｃ4〜Ｃ10ポリエニル基であることが更に好ましい。
【００４２】
Ｃ6〜Ｃ40アリール基、Ｃ6〜Ｃ40アルキルアリール基、Ｃ6〜Ｃ40アリールアルキル基、Ｃ4〜Ｃ40シクロアルキル基、及び、Ｃ4〜Ｃ40シクロアルケニル基は、それぞれ、Ｃ6〜Ｃ20アリール基、Ｃ6〜Ｃ22アルキルアリール基、Ｃ6〜Ｃ22アリールアルキル基、Ｃ4〜Ｃ20シクロアルキル基、及び、Ｃ4〜Ｃ20シクロアルケニル基が好ましく、それぞれ、Ｃ6〜Ｃ10アリール基、Ｃ6〜Ｃ12アルキルアリール基、Ｃ6〜Ｃ12アリールアルキル基、Ｃ4〜Ｃ10シクロアルキル基、及び、Ｃ4〜Ｃ10シクロアルケニル基が更に好ましい。
【００４３】
本発明の実施において有用なアルキル基の例には、制限するわけではないが、メチル、エチル、プロピル、ｎ−ブチル、ｔ−ブチル、ドデカニル、トリフルオロメチル、ペルフルオロ−ｎ−ブチル、２，２，２−トリフルオロエチル、ベンジル、２−フェノキシエチル等がある。
【００４４】
本発明の実施において有用なアリール基の例には、制限するわけではないが、フェニル、２−トリル、３−トリル、４−トリル、ナフチル、ビフェニル、４−フェノキシフェニル、４−フルオロフェニル、３−カルボメトキシフェニル、４−カルボメトキシフェニル等がある。
【００４５】
本発明の実施において有用なアルコキシ基の例には、制限するわけではないが、メトキシ、エトキシ、２−メトキシエトキシ、ｔ−ブトキシ等がある。本発明の実施において有用なアリーロキシ基の例には、制限するわけではないが、フェノキシ、ナフトキシ、フェニルフェノキシ、４−メチルフェノキシ等がある。
【００４６】
本発明の実施において有用なアリールオキシ基の例には、制限するわけではないが、フェニルオキシ、２−トリルオキシ、３−トリルオキシ、４−トリルオキシ、ナフチルオキシ、ビフェニルオキシ、４−フェノキシフェニルオキシ、４−フルオロフェニルオキシ、３−カルボメトキシフェニルオキシ、４−カルボメトキシフェニルオキシ等がある。
【００４７】
本発明の実施において有用なアミン基の例には、制限するわけではないが、アミノ、ジメチルアミノ、メチルアミノ、メチルフェニルアミノ、フェニルアミノ等がある。
【００４８】
本発明の実施において有用なシリル基の例には、制限するわけではないが、トリメチルシリル、トリエチルシリル、トリメトキシシリル、トリエトキシシリル、ジフェニルメチルシリル、トリフェニルシリル、トリフェノキシシリル、ジメチルメトキシシリル、ジメチルフェノキシシリル、メチルメトキシフェニル等がある。
【００４９】
Ｃ1〜Ｃ40炭化水素基、Ｃ1〜Ｃ40アルコキシ基、Ｃ6〜Ｃ40アリールオキシ基には、ハロゲン原子を含む置換基が導入されていてもよく、この置換基としては、例えば、Ｆ、Ｃｌ、Ｂｒ、Ｉのようなハロゲン原子、アミノ基、水酸基、シリル基、アルコキシ基、アリールオキシ基などが挙げられる。アミノ基、シリル基、アルコキシ基、アリールオキシ基については、上述の通りである。
【００５０】
ただし、Ｒ2及びＲ3は、互いに架橋してＣ6〜Ｃ40飽和又は不飽和環を形成してもよい。即ち、本発明では、１，３，６−トリエン誘導体のトリエン部分は、他の飽和又は不飽和環の一部であってもよい。
【００５１】
これらの置換基が形成する環は、４員環〜３２員環であることが好ましく、４員環〜２０員環であることが更に好ましい。この環は、芳香族環であってもよいし、脂肪族環であってもよい。
【００５２】
前記飽和又は不飽和環は、酸素原子、硫黄原子、又は式−Ｎ（Ｒ9）−で示される基（式中、Ｒ9は水素原子又はＣ1〜Ｃ40炭化水素基である。）で中断されていてもよく、酸素原子で中断されていてもよい。即ち、前記飽和または不飽和環はヘテロ環であってもよい。ヘテロ環としては、たとえば、フラン、ピロール、ベンゾフラン、インドール、ピラン、クロメンが挙げられる。
【００５３】
Ｒ9は水素原子またはＣ1〜Ｃ20炭化水素基であることが好ましく、水素原子またはＣ1〜Ｃ14炭化水素基であることが更に好ましく、Ｒ9は水素原子、Ｃ1〜Ｃ6アルキル基、フェニル基、ナフチル基、ベンジル基、ナフチルメチル基であることが更になお好ましい。
【００５４】
この環には、Ｃ1〜Ｃ40炭化水素基、Ｃ1〜Ｃ40アルコキシ基、Ｃ6〜Ｃ40アリールオキシ基、アミン基、水酸基又はシリル基などの置換基が導入されていてもよい。
【００５５】
本発明では、Ｒ1及びＲ2が同一の基であるか、Ｒ3及びＲ4が同一の基であるか、又は、Ｒ1及びＲ4が同一の基であることが好ましい。このような場合には、対称アルキンから式（ＩＩ）で示されるメタラシクロペンタジエンを形成することができるので、収率が向上するからである。
【００５６】
また、本発明では、Ｒ1及びＲ3が異なる基であるか、又は、Ｒ1及びＲ4が異なる基であることが好ましい。式（ＩＩ）で示されるメタラシクロペンタジエンは、二つの別個のアルキンから合成することができるので、このようなメタラシクロペンタジエンを形成することができる。
【００５７】
Ｒ5、Ｒ6、Ｒ7及びＲ8は、それぞれ、互いに独立し、同一または異なって、水素原子；又はハロゲン原子を含む置換基を有していてもよいＣ1〜Ｃ40炭化水素基である。炭化水素基については、上述の通りである。
【００５８】
本発明の第１の側面では、下記式（ＩＩ）で示されるメタラシクロペンタジエンが用いられる。
【００５９】
【化１４】
0004346199.tif 000009
【００６０】
（式中、Ｒ1、Ｒ2、Ｒ3及びＲ4は、上記の意味を有する。）
Ｍは、周期表の第３族〜第５族又はランタニド系列の金属を示す。Ｍとしては、周期表第４族又はランタニド系列の金属が好ましく、周期表第４族の金属、即ち、チタン、ジルコニウム及びハフニウムが更に好ましく、ジルコニウムが更になお好ましい。
【００６１】
Ｌ1及びＬ2は、互いに独立し、同一または異なって、アニオン性配位子を示す。ただし、Ｌ1及びＬ2は、架橋されていてもよい。前記アニオン性配位子が、非局在化環状η5−配位系配位子、Ｃ1〜Ｃ20アルコキシ基、Ｃ6〜Ｃ20アリールオキシ基又はジアルキルアミド基であることが好ましい。
【００６２】
Ｌ1及びＬ2は、非局在化環状η5−配位系配位子であることが好ましい。非局在化環状η5−配位系配位子の例は、無置換のシクロペンタジエニル基、及び置換シクロペンタジエニル基である。この置換シクロペンタジエニル基は例えば、メチルシクロペンタジエニル、エチルシクロペンタジエニル、イソプロピルシクロペンタジエニル、ｔ−ブチルシクロペンタジエニル、ジメチルシクロペンタジエニル、ジエチルシクロペンタジエニル、ジイソプロピルシクロペンタジエニル、ジ−ｔ−ブチルシクロペンタジエニル、テトラメチルシクロペンタジエニル、インデニル基、２−メチルインデニル基、２−メチル−４−フェニルインデニル基、テトラヒドロインデニル基、ベンゾインデニル基、フルオレニル基、ベンゾフルオレニル基、テトラヒドロフルオレニル基及びオクタヒドロフルオレニル基である。
【００６３】
非局在化環状η5−配位系配位子は、非局在化環状π系の１個以上の原子がヘテロ原子に置換されていてもよい。水素の他に、周期表第１４族の元素及び／又は周期表第１５、１６及び１７族の元素のような１個以上のヘテロ原子を含むことができる。
【００６４】
非局在化環状η5−配位系配位子、例えば、シクロペンタジエニル基は、中心金属と、環状であってもよい、一つの又は複数の架橋配位子により架橋されていてもよい。架橋配位子としては、例えば、ＣＨ2、ＣＨ2ＣＨ2、ＣＨ（ＣＨ3）ＣＨ2、ＣＨ（Ｃ4Ｈ9）Ｃ（ＣＨ3）2、Ｃ（ＣＨ3）2、（ＣＨ3）2Ｓｉ、（ＣＨ3）2Ｇｅ、（ＣＨ3）2Ｓｎ、（Ｃ6Ｈ5）2Ｓｉ、（Ｃ6Ｈ5）（ＣＨ3）Ｓｉ、（Ｃ6Ｈ5）2Ｇｅ、（Ｃ6Ｈ5）2Ｓｎ、（ＣＨ2）4Ｓｉ、ＣＨ2Ｓｉ（ＣＨ3）2、ｏ−Ｃ6Ｈ4又は２、２’−（Ｃ6Ｈ4）2が挙げられる。
【００６５】
２以上の非局在化環状η5−配位系配位子、例えば、シクロペンタジエニル基は、互いに、環状であってもよい、一つの又は複数の架橋基により架橋されていてもよい。架橋基としては、例えば、ＣＨ2、ＣＨ2ＣＨ2、ＣＨ（ＣＨ3）ＣＨ2、ＣＨ（Ｃ4Ｈ9）Ｃ（ＣＨ3）2、Ｃ（ＣＨ3）2、（ＣＨ3）2Ｓｉ、（ＣＨ3）2Ｇｅ、（ＣＨ3）2Ｓｎ、（Ｃ6Ｈ5）2Ｓｉ、（Ｃ6Ｈ5）（ＣＨ3）Ｓｉ、（Ｃ6Ｈ5）2Ｇｅ、（Ｃ6Ｈ5）2Ｓｎ、（ＣＨ2）4Ｓｉ、ＣＨ2Ｓｉ（ＣＨ3）2、ｏ−Ｃ6Ｈ4又は２、２’−（Ｃ6Ｈ4）2が挙げられる。
【００６６】
上記式（ＩＩ）で示されるメタラシクロペンタジエンは、二つ以上のメタラシクロペンタジエン部分 (moiety)を有する化合物も含む。このような化合物は多核メタロセンとして知られている。前記多核メタロセンは、いかなる置換様式及びいかなる架橋形態を有していてもよい。前記多核メタロセンの独立したメタロセン部分は、各々が同一種でも、異種でもよい。前記多核メタロセンの例は、例えばＥＰ−Ａ−６３２０６３、特開平４−８０２１４号、特開平４−８５３１０、ＥＰ−Ａ−６５４４７６に記載されている。
【００６７】
本発明の第１の側面では、下記式（ＩＩＩ）で示されるアルケンが用いられる。
【００６８】
【化１５】
0004346199.tif 000010
【００６９】
（式中、Ｒ5、Ｒ6、Ｒ7、及びＲ8は、上記の意味を有する。Ｙは、脱離基を示す。）
Ｒ5及びＲ6は、それぞれ、互いに独立し、同一または異なって、水素原子；又はハロゲン原子で置換されていても良いＣ1〜Ｃ6アルキル基であることが好ましい。Ｒ5及びＲ6の少なくとも一方が水素原子であることが好ましく、双方が水素原子であることが更に好ましい。Ｒ5及びＲ6が嵩高くない場合には、メタラシクロペンタジエン（ＩＩ）との反応が進行しやすいからである。
【００７０】
Ｙは、脱離基である。Ｆ、Ｃｌ、Ｂｒ、Ｉのようなハロゲン原子、ｐ−トルエンスルホニルオキシ基等が挙げられ、Ｃｌ、Ｂｒが特に好ましい。
【００７１】
本発明の第１の側面では、上記式（ＩＩ）で示されるメタラシクロペンタジエンを、亜鉛塩及びパラジウム触媒の存在下、上記式（ＩＩＩ）で示されるアルケンと反応させる。
【００７２】
亜鉛塩は、亜鉛と、塩酸、臭化水素、硫酸等の無機酸との塩、又はカルボン酸のような有機酸との塩であってもよい。特に、無機酸との塩であることが好ましく、ZnCl2、ZnBr2が特に好ましい。
【００７３】
亜鉛塩の量は、メタラシクロペンタジエン（ＩＩ）の０．０１−２０当量であってもよく、好ましくは０．１−１０当量であり、更に好ましくは、０．９乃至３当量である。
【００７４】
パラジウム触媒は、４配位又は６配位であることが好ましい。
【００７５】
パラジウム錯体は、Ｐｄ（Ｑ1）（Ｑ2）（Ｑ3）（Ｑ4）（式中、Ｑ1、Ｑ2、Ｑ3及びＱ4は、それぞれ、互いに独立し、同一または異なって、ホスフィン、ホスファイト、アミン、ハロゲン原子を含む置換基を有していてもよいＣ1〜Ｃ40アルキルカルボニルオキシ基、ハロゲン原子を含む置換基を有していてもよいＣ1〜Ｃ40アリールカルボニルオキシ基、ニトリル、又は、ハロゲン原子を示し、好ましくは、ホスフィン、ホスファイト、アミン、ハロゲン原子を含む置換基を有していてもよいＣ1〜Ｃ20アルキルカルボニルオキシ基、ハロゲン原子を含む置換基を有していてもよいＣ1〜Ｃ20アリールカルボニルオキシ基、又は、ハロゲン原子を示し、ただし、Ｑ1、Ｑ2、Ｑ3及びＱ4の任意の２つ、３つ及び４つが、互いに架橋していてもよい。）であってもよい。ホスフィン、ホスファイト又はアミンについては、上述の通りである。パラジウム錯体としては、たとえば、Ｐｄ（Ｏ−Ｃ（＝Ｏ）Ｒ）4（式中、Ｒはアルキル基又はアリール基であり、互いに架橋していてもよい。）、［ＰｄＸ4］2-（Ｘはハロゲン原子である。）、テトラキス（トリアリールホスフィン）、PdCl2(2,2'-ビピリジン)等が挙げられる。
【００７６】
ホスフィンは、ジフェニルホスフィンのようなジアリールホスフィン、トリフェニルホスフィンのようなトリアリールホスフィン、トリエチルホスフィンのようなトリアルキルホスフィン、アルキルジアリールホスフィン、ジアルキルアリールホスフィン、１，２−ビス（ジフェニルホスフィノ）エタンのようなα，ω−ビス（ジアリールホスフィノ）アルカン、Ｐ，Ｐ，Ｐ‘，Ｐ’，Ｐ“，Ｐ”−ヘキサフェニル−トリスエチレンテトラホスフィンのようなＰ，Ｐ，Ｐ‘，Ｐ’，Ｐ“，Ｐ”−六置換−トリスアルキレンテトラホスフィン等であってもよい。ホスファイトは、ホスフィンと同様である。
【００７７】
本発明の実施において有用なアルコキシカルボニル基の例には、制限するわけではないが、メトキシカルボニル、エトキシカルボニル、２−メトキシエトキシカルボニル、ｔ−ブトキシカルボニル等がある。
【００７８】
本発明の実施において有用なアリールオキシカルボニル基の例には、制限するわけではないが、フェノキシカルボニル、ナフトキシカルボニル、フェニルフェノキシカルボニル、４−メチルフェノキシカルボニル等がある。
【００７９】
パラジウム触媒の量は、メタラシクロペンタジエン（ＩＩ）の０．００１−１０当量であってもよく、好ましくは０．００５−５当量であり、更に好ましくは、０．０１乃至１当量である。
【００８０】
本発明では、下記のスキームに示されるトリエン誘導体の製造方法が提供される。
【００８１】
【化１６】
0004346199.tif 000011
【００８２】
（式中、Ｒ1、Ｒ2、Ｒ3、Ｒ4、Ｒ5、Ｒ6，Ｒ7，Ｒ8、Ｙ、Ｍ、Ｌ1及びＬ2は前記の意味を有する。）
典型的には、上記式（ＩＩ）で示されるメタラシクロペンタジエンの溶液に、上記式（ＩＩＩ）で示されるアルケン、亜鉛塩及びパラジウム触媒を添加する。添加する順序には制限がない。あるいは、上記式（ＩＩ）で示されるメタラシクロペンタジエンの溶液に、亜鉛塩を添加し、次いで、アルケン（ＩＩＩ）を添加し、そして、パラジウム触媒を添加してもよい。あるいは、上記式（ＩＩＩ）で示されるアルケン、亜鉛塩及びパラジウム触媒を同時に添加してもよい。
【００８３】
本発明では、上記式（ＩＩ）で示されるメタラシクロペンタジエン１当量に対し、上記式（ＩＩＩ）で示されるアルケン及び亜鉛塩を２当量を作用させてもよい。
【００８４】
上記式（ＩＩＩ）で示されるアルケンの量は、メタラシクロペンタジエン（ＩＩ）の０．０１−２０当量であってもよく、好ましくは０．１−１０当量であり、更に好ましくは、０．９乃至３当量である。
【００８５】
反応は、好ましくは−８０℃乃至３００℃の温度範囲で行われ、特に好ましくは０℃乃至１５０℃の温度範囲で行われる。圧力は、例えば、０．１バール乃至２５００バールの範囲内で、好ましくは０．５バール乃至１０バールの範囲内である。
【００８６】
溶媒は、脂肪族又は芳香族の溶媒が用いられる。エーテル系溶媒、例えばテトラヒドロフラン又はジエチルエーテル；塩化メチレン、ジクロロエタンのようなハロゲン化炭化水素；ｏ−ジクロロベンゼンのようなハロゲン化芳香族炭化水素；ベンゼン、トルエン等の芳香族炭化水素が用いられる。
【００８７】
上記式（ＩＩ）で示されるメタラシクロペンタジエンは、ビスシクロペンタジエニルジルコニウムジアルキルのようなメタロセンに２当量のアルキン又は１当量のジインを作用させることにより得ることができる。メタラシクロペンタジエンの生成については、例えば、T. Takahashi et al. J. Org. Chem. 1995, 60, 4444 に記載されており、これと同一又は近似した条件で反応が進行する。
【００８８】
このメタラシクロペンタジエン（ＩＩ）の調製については、溶媒は、脂肪族又は芳香族の溶媒が用いられ、好ましくは、極性溶媒が用いられる。エーテル系溶媒、例えばテトラヒドロフラン又はジエチルエーテル；塩化メチレンのようなハロゲン化炭化水素；ｏ−ジクロロベンゼンのようなハロゲン化芳香族炭化水素；Ｎ，Ｎ−ジメチルホルムアミド等のアミド、ジメチルスルホキシド等のスルホキシドが用いられる。あるいは、芳香族の溶媒として、ベンゼン、トルエン、キシレン等の芳香族炭化水素を用いてもよい。
【００８９】
反応は好ましくは−８０℃乃至３００℃の温度範囲で行われ、特に好ましくはー８０℃乃至０℃の温度範囲で行われる。圧力は０．１バール乃至２５００バールの範囲内で、好ましくは０．５バール乃至１０バールの範囲内である。反応は継続的に又はバッチ式で、一段階又はそれより多段階で、溶液中、懸濁液中、気相中又は超臨界媒体中で行える。
【００９０】
本発明の第２の側面では、上記式（ＩＩ）で示されるメタラシクロペンタジエンの代わりに、上記式（ＩＩａ）で示される１−メタラ−１Ｈ−インデンが用いられる。これにより、モノアリル化された中間体が更に環化反応をして、下記式（ＩＶａ）又は（ＩＶｂ）で示されるナフタレン誘導体が生成する。
【００９１】
【化１７】
0004346199.tif 000012
【００９２】
（式中、Ｒ3、Ｒ4、Ｒ5、Ｒ7、Ｒ8、ｎ及びＡは、前記の意味を有する。）
従って、本発明の第２の側面は、多くの点について、本発明の第１の側面と共通する。
【００９３】
本発明の第２の側面でも、Ｒ3、Ｒ4、Ｒ5、Ｒ7及びＲ8については、本発明の第１の側面と同様である。
【００９４】
ｎは、１〜３の整数であり、１〜２であることが好ましい。
【００９５】
Ａは、それぞれ、互いに独立し、同一または異なって、水素原子、ハロゲン原子、ハロゲン原子を含む置換基を有していてもよいＣ1〜Ｃ40炭化水素基；ハロゲン原子を含む置換基を有していてもよいＣ1〜Ｃ40アルコキシ基；ハロゲン原子を含む置換基を有していてもよいＣ6〜Ｃ40アリールオキシ基；又はシリル基である。炭化水素基、アルコキシ基、アリールオキシ基又はシリル基については、前述の通りである。即ち、ナフタレン誘導体には、置換基が導入されていてもよい。
【００９６】
Ａは、それぞれ、互いに独立し、同一または異なって、水素原子、ハロゲン原子、ハロゲン原子を含む置換基を有していてもよいＣ1〜Ｃ20炭化水素基；ハロゲン原子を含む置換基を有していてもよいＣ1〜Ｃ20アルコキシ基；ハロゲン原子を含む置換基を有していてもよいＣ6〜Ｃ20アリールオキシ基；又はシリル基であることが好ましく、水素原子であってもよい。
【００９７】
本発明の第２の側面では、下記式（ＩＩａ）で示される１−メタラ−１Ｈ−インデンが用いられる。
【００９８】
【化１８】
0004346199.tif 000013
【００９９】
（式中、Ｒ3、Ｒ4、Ｍ、Ｌ1、Ｌ2、ｎ及びAについては、上記の意味を有する。）
Ｍ、Ｌ1及びＬ2については、本発明の第１の側面で用いたメタラシクロペンタジエン（ＩＩ）と同様である。
【０１００】
本発明の第２の側面では、本発明の第１の側面と同様に、上記式（ＩＩＩ）で示されるアルケンが用いられる。
【０１０１】
本発明の第２の側面では、亜鉛塩及びパラジウム触媒の存在下、上記式（ＩＩａ）で示されるメタラインデンと、上記式（ＩＩＩ）で示されるアルケンとが反応する。亜鉛塩及びパラジウム触媒については、本発明の第１の側面と同様である。また、温度、溶媒等の反応条件についても、本発明の第１の側面と同様である。
【０１０２】
本発明の第２の側面に関して、反応機構としては、例えば、下記のスキームが提案される。
【０１０３】
【化１９】
0004346199.tif 000014
【０１０４】
（式中、Ｒ3、Ｒ4、Ｒ5、Ｒ7、Ｒ8、Ｍ、Ｌ1、及びＬ2は上記の意味を有する。）
【０１０５】
【化２０】
0004346199.tif 000015
【０１０６】
（式中、Ｒ3、Ｒ4、Ｒ5、Ｒ7、Ｒ8、Ｍ、Ｌ1、及びＬ2は上記の意味を有する。）
１−メタラインデン（ＩＩａ）に亜鉛塩が作用し、亜鉛とトランスメタル化反応が起き、中間体（Ｖａ）又は（ＶＩａ）が生成する。このときに、ベンゼン環に亜鉛が結合する場合と、炭素−炭素２重結合の末端炭素側に亜鉛が結合する場合があると思われる。次いで、中間体（Ｖａ）又は（ＶＩｂ）とアルケン（ＩＩＩ）がカップリング反応を起こし、中間体（Ｖｂ）又は（ＶＩｂ）が生成する。そして、中間体（Ｖｂ）又は（ＶＩｂ）にパラジウム触媒が作用し、更にパラジウムとトランスメタル化反応が起き、中間体（Ｖｃ）又は（ＶＩｃ）が生成する。そして、分子内でカップリング反応を起こし、中間体（Ｖｄ）又は（ＶＩｄ）が生成し、その後、ナフタレン誘導体（ＩＶａ）又は（ＶＩｂ）が生成する。もっとも、この反応機構は仮説に過ぎず、本発明はこのような反応機構に限定されるものではない。
【０１０７】
なお、上記スキームでは、説明の便宜上、置換基Aが水素原子である場合について、述べた。Ａが水素原子以外の場合であっても、同様であることはいうまでもない。
【０１０８】
このスキームでは、置換基Ｒ3、Ｒ4、Ａは、反応中心から離れているので、電子的効果、立体的効果を反応に影響を及ぼし難く、Ｒ3、Ｒ4、Ａ等については、幅広い置換基を用いることができる。
【０１０９】
また、本発明の第１の側面においても、メタラシクロペンタジエニル中のジルコニウム等の金属と、亜鉛及びパラジウムが何らかのトランスメタル化反応を起こしていると思われる。そして、このように本発明の第１の側面においても、金属が反応中心となるところ、置換基Ｒ1、Ｒ2、Ｒ3、Ｒ4、Ｒ7及びＲ8は、反応中心から離れているので、電子的効果、立体的効果を反応に影響を及ぼし難く、置換基Ｒ1、Ｒ2、Ｒ3、Ｒ4、Ｒ7及びＲ8についても、幅広い置換基を用いることができる。
【０１１０】
本発明で用いるメタラシクロペンタジエン（ＩＩ）は、例えば、下記のメタロセンを用いて合成することができる。
【０１１１】
なお、ビス（インデニル）ジクロロジルコニウム；ビス（フルオレニル）ジクロロジルコニウム；（インデニル）（フルオレニル）ジクロロジルコニウム；
ビス（シクロペンタジエニル）ジクロロチタン；（ジメチルシランジイル）ビス（インデニル）ジクロロジルコニウム；（ジメチルシランジイル）ビス（テトラヒドロインデニル）ジクロロジルコニウム；（ジメチルシランジイル）（インデニル）ジクロロジルコニウム；（ジメチルシランジイル）ビス（２−メチルインデニル）ジクロロジルコニウム；（ジメチルシランジイル）ビス（２−エチルインデニル）ジクロロジルコニウム；（ジメチルシランジイル）ビス（２−メチル−４，５−ベンゾインデニル）ジクロロジルコニウム；（ジメチルシランジイル）ビス（２−エチル−４，５−ベンゾインデニル）ジクロロジルコニウム；（ジメチルシランジイル）ビス（２−メチル−４−フェニルインデニル）ジクロロジルコニウム；（ジメチルシランジイル）ビス（２−エチル−４−フェニルインデニル）ジクロロジルコニウム；（ジメチルシランジイル）ビス（２−メチル−４，６−ジイソプロピルインデニル）ジクロロジルコニウムなどのジクロロ体については、ナトリウム等のアルカリ金属、マグネシウム等のアルカリ土類金属のような強塩基で還元するか、又は、ジアルキル体に変換してから、メタラシクロペンタジエンを生成させる。
ビス（シクロペンタジエニル）ジブチルジルコニウム；
ビス（インデニル）ジブチルジルコニウム；
ビス（フルオレニル）ジブチルジルコニウム；
（インデニル）（フルオレニル）ジブチルジルコニウム；
（３−メチル−５−ナフチルインデニル）（２，７−ジ−ｔｅｒｔ−ブチルフルオレニル）ジブチルジルコニウム；
（３−メチル−５−ナフチルインデニル）（３，４，７−トリメトキシフルオレニル）ジブチルジルコニウム；
（ペンタメチルシクロペンタジエニル）（テトラヒドロインデニル）ジブチルジルコニウム；
（シクロペンタジエニル）（１−オクテン−８−イルシクロペンタジエニル）ジブチルジルコニウム；
（インデニル）（１−ブテン−４−イルシクロペンタジエニル）ジブチルジルコニウム；
［１，３−ビス（トリメチルシリル）シクロペンタジエニル］（３，４−ベンゾフルオレニル）ジブチルジルコニウム；。
【０１１２】
ビス（シクロペンタジエニル）ジブチルチタン；
ジメチルシランジイルビス（インデニル）ジブチルジルコニウム；
ジメチルシランジイルビス（テトラヒドロインデニル）ジブチルジルコニウム；
ジメチルシランジイル（シクロペンタジエニル）（インデニル）ジブチルジルコニウム；
ジメチルシランジイルビス（２−メチルインデニル）ジブチルジルコニウム；
ジメチルシランジイルビス（２−エチルインデニル）ジブチルジルコニウム；
ジメチルシランジイルビス（２−メチル−４，５−ベンゾインデニル）ジブチルジルコニウム；
ジメチルシランジイルビス（２−エチル−４，５−ベンゾインデニル）ジブチルジルコニウム；
ジメチルシランジイルビス（４，５−ジヒドロ−８−メチル−７Ｈ−シクロペント〔ｅ〕アセナフチレン−７−イリデン）ジブチルジルコニウム；
ジメチルシランジイル（２−メチル−４，５−ベンゾインデニル）（２−メチル−４−フェニルインデニル）ジブチルジルコニウム；
ジメチルシランジイル（２−エチル−４，５−ベンゾインデニル）（２−メチル−４−フェニルインデニル）ジブチルジルコニウム；
ジメチルシランジイル（２−メチル−４，５−ベンゾインデニル）（２−エチル−４−フェニルインデニル）ジブチルジルコニウム；
ジメチルシランジイル（２−エチルインデニル）（２−エチル−４−フェニルナフチル）ジブチルジルコニウム；
ジメチルシランジイル（２−メチルインデニル）（４−フェニルインデニル）ジブチルジルコニウム；
ジメチルシランジイルビス（２−メチル−４−フェニルインデニル）ジブチルジルコニウム；
ジメチルシランジイルビス（２−エチル−４−フェニルインデニル）ジブチルジルコニウム；
ジメチルシランジイルビス（２−メチル−４，６−ジイソプロピルインデニル）ジブチルジルコニウム；
ジメチルシランジイルビス（２−エチル−４，６−ジイソプロピルインデニル）ジブチルジルコニウム；
ジメチルシランジイルビス（２−メチル−４−ナフチルインデニル）ジブチルジルコニウム；
ジメチルシランジイルビス（２−エチル−４−ナフチルインデニル）ジブチルジルコニウム；。
【０１１３】
メチルフェニルシランジイルビス（インデニル）ジブチルジルコニウム；
メチルフェニルシランジイル（シクロペンタジエニル）（インデニル）ジブチルジルコニウム；
メチルフェニルシランジイルビス（テトラヒドロインデニル）ジブチルジルコニウム；
メチルフェニルシランジイルビス（２−メチルインデニル）ジブチルジルコニウム；
メチルフェニルシランジイルビス（２−エチルインデニル）ジブチルジルコニウム；
メチルフェニルシランジイルビス（２−メチル−４，５−ベンゾインデニル）ジブチルジルコニウム；
メチルフェニルシランジイルビス（２−エチル−４，５−ベンゾインデニル）ジブチルジルコニウム；
メチルフェニルシランジイルビス（４，５−ジヒドロ−８−メチル−７Ｈ−シクロペント〔ｅ〕アセナフチレン−７−イリデン）ジブチルジルコニウム；
メチルフェニルシランジイル（２−メチル−４，５−ベンゾインデニル）（２−メチル−４−フェニルインデニル）ジブチルジルコニウム；
メチルフェニルシランジイル（２−エチルインデニル）（２−メチル−４−フェニルインデニル）ジブチルジルコニウム；
メチルフェニルシランジイル（２−メチル−４，５−ベンゾインデニル）（２−エチル−４−フェニルインデニル）ジブチルジルコニウム；
メチルフェニルシランジイル（２−エチル−４，５−ベンゾインデニル）（２−エチル−インデニル）ジブチルジルコニウム；
メチルフェニルシランジイル（２−メチルインデニル）（４フェニルインデニル）ジブチルジルコニウム；。
【０１１４】
メチルフェニルシランジイルビス（２−メチル−４フェニルインデニル）ジブチルジルコニウム；
メチルフェニルシランジイルビスジブチルジルコニウム；
メチルフェニルシランジイルビス（２−メチル−４，６−ジイソプロピルインデニル）ジブチルジルコニウム；
メチルフェニルシランジイルビス（２−エチル−４，６−ジイソプロピルインデニル）ジブチルジルコニウム；
メチルフェニルシランジイルビス（４−ナフチルインデニル）ジブチルジルコニウム；
メチルフェニルシランジイルビス（２−エチル−４−ナフチルインデニル）ジブチルジルコニウム；
ジフェニルシランジイルビス（インデニル）ジブチルジルコニウム；
ジフェニルシランジイルビス（２−メチルインデニル）ジブチルジルコニウム；
ジフェニルシランジイルビス（２−エチルインデニル）ジブチルジルコニウム；
ジフェニルシランジイル（シクロペンタジエニル）（インデニル）ジブチルジルコニウム；
ジフェニルシランジイルビス（２−メチル−４，５−ベンゾインデニル）ジブチルジルコニウム；
ジフェニルシランジイルビス（２−エチル−４，５−ベンゾインデニル）ジブチルジルコニウム；
ジフェニルシランジイル（２−メチル−４，５−ベンゾインデニル）（２−メチル−４フェニルインデニル）ジブチルジルコニウム；
ジフェニルシランジイル（２−エチル−４，５−ベンゾインデニル）（２−メチル−４フェニルインデニル）ジブチルジルコニウム；
ジフェニルシランジイル（２−メチル−４，５−ベンゾインデニル）（２−エチル−４フェニルインデニル）ジブチルジルコニウム；
ジフェニルシランジイル（２−エチル−４，５−ベンゾインデニル）（２−エチル−４ナフチルインデニル）ジブチルジルコニウム；
ジフェニルシランジイル（２−メチルインデニル）（４フェニルインデニル）ジブチルジルコニウム；
ジフェニルシランジイルビス（２−メチル−４フェニルインデニル）ジブチルジルコニウム；
ジフェニルシランジイルビス（２−エチル−４フェニルインデニル）ジブチルジルコニウム；
ジフェニルシランジイルビス（２−メチル−４，６−ジイソプロピルインデニル）ジブチルジルコニウム；。
【０１１５】
ジフェニルシランジイルビ；ス（２−エチル−４，６−ジイソプロピルインデニル）ジブチルジルコニウム
ジフェニルシランジイルビス（２−メチル−４−ナフチルインデニル）ジブチルジルコニウム；
ジフェニルシランジイルビス（２−エチル−４−ナフチルインデニル）ジブチルジルコニウム；
１−シラシクロペンタン−１、１−ビス（インデニル）ジブチルジルコニウム；
１−シラシクロペンタン−１、１−ビス（２−メチルインデニル）ジブチルジルコニウム；
１−シラシクロペンタン−１、１−ビス（２−エチルインデニル）ジブチルジルコニウム；
１−シラシクロペンタン−１、１−ビス（２−メチル−４，５−ベンゾインデニル）ジブチルジルコニウム；
１−シラシクロペンタン−１、１−ビス（２−エチル−４，５−ベンゾインデニル）ジブチルジルコニウム；
１−シラシクロペンタン−１−（２−メチル−４，５−ベンゾインデニル）−１−（２−メチル−４−フェニルインデニル）ジブチルジルコニウム；
１−シラシクロペンタン−１−（２−エチル−４，５−ベンゾインデニル）−１−（２−メチル−４−フェニルインデニル）ジブチルジルコニウム；
１−シラシクロペンタン−１−（２−メチル−４，５−ベンゾインデニル）−１−（２−エチル−４−フェニルインデニル）ジブチルジルコニウム；
１−シラシクロペンタン−１−（２−エチル−４，５−ベンゾインデニル）−１−（２−エチル−４−ナフチルインデニル）ジブチルジルコニウム；
１−シラシクロペンタン−１−（２−メチルインデニル）−１−（４−フェニルインデニル）ジブチルジルコニウム；
１−シラシクロペンタン−１，１−ビス（２−メチル−４−フェニルインデニル）ジブチルジルコニウム；
１−シラシクロペンタン−１，１−ビス（２−エチル−４−フェニルインデニル）ジブチルジルコニウム；
１−シラシクロペンタン−１，１−ビス（２−メチル−４，６−ジイソプロピルインデニル）ジブチルジルコニウム；
１−シラシクロペンタン−１，１−ビス（２−エチル−４，６−ジイソプロピルインデニル）ジブチルジルコニウム；
１−シラシクロペンタン−１，１−ビス（２−メチル−４−ナフチルインデニル）ジブチルジルコニウム；
１−シラシクロペンタン−１，１−ビス（２−エチル−４−ナフチルインデニル）ジブチルジルコニウム；
ビス（シクロペンタジエニル）ジブチルチタン；
エチレン−１，２−ビス（インデニル）ジブチルジルコニウム；
エチレン−１，２−ビス（テトラヒドロインデニル）ジブチルジルコニウム；
エチレン−１−（シクロペンタジエニル）−２−（１−インデニル）ジブチルジルコニウム；
エチレン−１−（シクロペンタジエニル）−２−（２−インデニル）ジブチルジルコニウム；
エチレン−１−（シクロペンタジエニル）−２−（２−メチル−１−インデニル）ジブチルジルコニウム；
エチレン−１，２−ビス（２−メチルインデニル）ジブチルジルコニウム；
エチレン−１，２−ビス（２−エチルインデニル）ジブチルジルコニウム；
エチレン−１，２−ビス（２−メチル−４，５−ベンゾインデニル）ジブチルジルコニウム；
エチレン−１，２−ビス（２−エチル−４，５−ベンゾインデニル）ジブチルジルコニウム；。
【０１１６】
エチレン−１，２−ビス（４，５−ジヒドロ−８−メチル−７Ｈ−シクロペント〔ｅ〕アセナフチレン−７−イリデン）ジブチルジルコニウム；
エチレン−１−（２−メチル−４，５−ベンゾインデニル）−２−（２−メチル−４−フェニルインデニル）ジブチルジルコニウム；
エチレン−１−（２−エチル−４，５−ベンゾインデニル）−２−（２−メチル−４−フェニルインデニル）ジブチルジルコニウム；
エチレン−１−（２−メチル−４，５−ベンゾインデニル）−２−（２−エチル−４−フェニルインデニル）ジブチルジルコニウム；
エチレン−１−（２−エチル−４，５−ベンゾインデニル）−２−（２−エチル−４−ナフチルインデニル）ジブチルジルコニウム；
エチレン−１−（２−メチルインデニル）−２−（４−フェニルインデニル）ジブチルジルコニウム；
エチレン−１，２−ビス（２−メチル−４−フェニルインデニル）ジブチルジルコニウム；
エチレン−１，２−ビス（２−エチル−４−フェニルインデニル）ジブチルジルコニウム；
エチレン−１，２−ビス（２−メチル−４，６−ジイソプロピルインデニル）ジブチルジルコニウム；
エチレン−１，２−ビス（２−エチル−４，６−ジイソプロピルインデニル）ジブチルジルコニウム；
エチレン−１，２−ビス（２−メチル−４−ナフチルインデニル）ジブチルジルコニウム；
エチレン−１，２−ビス（２−エチル−４−ナフチルインデニル）ジブチルジルコニウム；
プロピレン−２，２−ビス（インデニル）ジブチルジルコニウム；
プロピレン−２−シクロペンタジエニル−２−（１−インデニル）ジブチルジルコニウム；
プロピレン−２−シクロペンタジエニル−２−（４−フェニル−１−インデニル）ジブチルジルコニウム；
プロピレン−２−シクロペンタジエニル−２−（９−フルオレニル）ジブチルジルコニウム；
プロピレン−２−シクロペンタジエニル−２−（２，７−ジメトキシ−９−フルオレニル）ジブチルジルコニウム；
プロピレン−２−シクロペンタジエニル−２−（２，７−ジ−ｔｅｒｔ−ブチル−９−フルオレニル）ジブチルジルコニウム；
プロピレン−２−シクロペンタジエニル−２−（２，７−ジブロモ−９−フルオレニル）ジブチルジルコニウム；
プロピレン−２−シクロペンタジエニル−２−（２，７−ジフェニル−９−フルオレニル）ジブチルジルコニウム；
プロピレン−２−シクロペンタジエニル−２−（２，７−ジメチル−９−フルオレニル）ジブチルジルコニウム；
プロピレン−２−（３−メチルシクロペンタジエニル）−２−（２，７−ジブチル−９−フルオレニル）ジブチルジルコニウム；
プロピレン−２−（３−ｔｅｒｔ−ブチルシクロペンタジエニル）−２−（２，７−ジブチル−９−フルオレニル）ジブチルジルコニウム；
プロピレン−２−（３−トリメチルシリルシクロペンタジエニル）−２−（３，６−ジ−ｔｅｒｔ−ブチル−９−フルオレニル）ジブチルジルコニウム；
プロピレン−２−シクロペンタジエニル−２−［２，７−ビス（３−ブテン−１−イル）−９−フルオレニル］ジブチルジルコニウム；
プロピレン−２−シクロペンタジエニル−２−（３−ｔｅｒｔ−ブチル−９−フルオレニル）ジブチルジルコニウム；
プロピレン−２，２−ビス（テトラヒドロインデニル）ジブチルジルコニウム；
プロピレン−２，２−ビス（２−メチルインデニル）ジブチルジルコニウム；
プロピレン−２，２−ビス（２−エチルインデニル）ジブチルジルコニウム；
プロピレン−２，２−ビス（２−メチル−４，５−ベンゾインデニル）ジブチルジルコニウム；
プロピレン−２，２−ビス（２−エチル−４，５−ベンゾインデニル）ジブチルジルコニウム；
プロピレン−２，２−ビス（４，５−ジヒドロ−８−メチル−７Ｈ−シクロペント〔ｅ〕アセナフチレン−７−イリデン）ジブチルジルコニウム；
プロピレン−２−（２−メチル−４，５−ベンゾインデニル）−２−（２−メチル−４−フェニルインデニル）ジブチルジルコニウム；
プロピレン−２−（２−エチル−４，５−ベンゾインデニル）−２−（２−メチル−４−フェニルインデニル）ジブチルジルコニウム；
プロピレン−２−（２−メチル−４，５−ベンゾインデニル）−２−（２−エチル−４−フェニルインデニル）ジブチルジルコニウム；
プロピレン−２−（２−エチル−４，５−ベンゾインデニル）−２−（２−エチル−４−ナフチルインデニル）ジブチルジルコニウム；
プロピレン−２−（２−メチルインデニル）−２−（４−フェニルインデニル）ジブチルジルコニウム；
プロピレン−２，２−ビス（２−メチル−４−フェニルインデニル）ジブチルジルコニウム；
プロピレン−２，２−ビス（２−エチル−４−フェニルインデニル）ジブチルジルコニウム；
プロピレン−２，２−ビス（２−メチル−４，６−ジイソプロピルインデニル）ジブチルジルコニウム；
プロピレン−２，２−ビス（２−エチル−４，６−ジイソプロピルインデニル）ジブチルジルコニウム；
プロピレン−２，２−ビス（２−メチル−４−ナフチルインデニル）ジブチルジルコニウム；
プロピレン−２，２−ビス（２−エチル−４−ナフチルインデニル）ジブチルジルコニウム。
【０１１７】
ジルコナインデンは、文献G. ErkerらのJ. Organomet. Chem. 1977, 134. 189に従って合成することができる。
【０１１８】
【実施例】
以下、本発明を実施例に基づいて説明する。ただし、本発明は、下記の実施例に制限されるものではない。
【０１１９】
すべての反応は、窒素雰囲気下のもとで行われた。溶媒として用いたTHFはナトリウム金属、ベンゾフェノンケチルで蒸留して無水とした。ジルコノセンジクロリド、塩化亜鉛、臭化亜鉛、１，２−ジフェニルアセチレン、フェニルリチウム及びn-ブチルリチウムは、関東化学から、3-ヘキセン, 4-オクチン, 5-デシン、アリルクロリド、アリルブロミド、及び1-クロロ-3-メチル-2-ブテンは、東京化成工業で購入した。ジルコナペンタジエンは、Tetrahedron Lett. 1986, 27, 2829-2832に従って、調製した。1H-NMR(400 MHz)および13C-NMR (100 MHz)スペクトルは、Bruker ARX-400を用いて２５℃にて測定した。この時、重水素化クロロホルム（内部標準として、TMSを1%含有）を内部標準とした。
【０１２０】
ガスクロマトグラフィーはSHIMADZU CBP1-M25-025 fused silica capillary columnを備えたSHIMADZU GC-14A gas chromatographで測定し、記録はSHIMADZU CR6A-Chromatopac integratorを用いた。GCにより収率を求めたときはn-ドデカンを内部標準として用いた。
【０１２１】
参考例１
ビス（η5−シクロペンタジエニル）２，３，４，５−テトラエチル−１−ジルコナ−２，４−シクロペンタジエン
ビス（η5−シクロペンタジエニル）ジクロロジルコニウム（１．２ｍｍｏｌ）及びＴＨＦ（１０ｍｌ）をシュレンク管に投入した。この溶液を−７８℃に冷却し、次いで、ｎ−ブチルリチウム（２．４ｍｍｏｌ）を添加した。この溶液を−７８℃にて１時間、攪拌し、ビス（η5−シクロペンタジエニル）ジブチルジルコニウムを得た。
【０１２２】
−７８℃にて、この反応混合物に３−ヘキシン（２．０ｍｍｏｌ）を添加し、次いで、室温にまで暖め、１時間、放置し、標題化合物を得た。標題化合物を単離することなく、そのまま用いた。
【０１２３】
実施例１
１，２，３，４−テトラエチル−１，３，６−ヘプタトリエン
ビス（η5−シクロペンタジエニル）２，３，４，５−テトラエチル−１−ジルコナシクロペンタジエン(1.0 mmol)の5ml THF溶液に、塩化亜鉛(270mg, 2mmol)、１−クロロ−２―プロペン(150mg, 2mmol) 及び Pd(PPh3)4 (58mg, 5%mmol)を加えた。反応混合物は、50℃にて、48時間攪拌した。室温まで冷却した後、反応混合物に、3N HClを添加し、反応を終了させ、エーテルで抽出した。有機抽出物は、炭酸水素ナトリウム水溶液、水で洗浄し、無水硫酸マグネシウムで乾燥した。減圧下で濃縮した後、残渣に対して、シリカゲルを充填剤として、ヘキサンを用いて、カラムクロマトグラフィーを行った。ＧＣ収率75%、118 mg (57%) 、無色液体。
【０１２４】
1H NMR (CDCl3, Me4Si) δ  0.87-0.99(m, 12H),2.01-2.09(m, 8H), 2.82(d, J=6.6Hz, 2H), 4.95-5.01(m, 3H), 5.65-5.80(m,1H).  13C NMR (CDCl3, Me4Si)δ  12.69, 13.35, 13.45, 14.65, 20.97, 22.42, 22.98, 23.16, 37.32, 114.67, 129.12, 132.91, 138.70, 139.93, 139.98.  HRMS 計算値 C15H26: 206.2033, 実験値206.2029。
【０１２５】
実施例２
１，２，３，４−テトラプロピル−１，３，６−ヘプタトリエン
実施例１と同様の手順で行った。但し、ビス（η5−シクロペンタジエニル）２，３，４，５−テトラエチル−１−ジルコナシクロペンタジエンの代わりに、ビス（η5−シクロペンタジエニル）２，３，４，５−テトラプロピル−１−ジルコナシクロペンタジエンを用いた。ＧＣ収率77%、150 mg (57%)。無色液体。
【０１２６】
1H NMR (CDCl3, Me4Si)  δ0.76-0.85 (m, 12H), 1.18-1.33(m, 8H), 1.91-1.98(m, 8H), 2.75(d, J=6.5Hz, 2H), 4.86-5.00 (m, 3H), 5.58-5.70(m, 1H). 13C NMR (CDCl3, Me4Si)  δ13.93, 14.02, 14.24, 14.62, 21.41, 21.77, 21.88, 23.20, 29.87, 31.91, 32.24. 32.30. 37.74, 114.65, 127.75, 131.76, 138.80, 139.55, 139.72, HRMS 計算値 C19H34: 262.2658 実験値 262.2672。
【０１２７】
実施例３
１，２，３，４−テトラプロピル−７−メチル−１，３，６−オクタトリエン
実施例１と同様の手順で行った。但し、ビス（η5−シクロペンタジエニル）２，３，４，５−テトラエチル−１−ジルコナシクロペンタジエンの代わりに、ビス（η5−シクロペンタジエニル）２，３，４，５−テトラプロピル−１−ジルコナシクロペンタジエンを用いた。また、１−クロロ−２―プロペンの代わりに、１−クロロ−３−メチル−２―ブテンを用いた。また、塩化亜鉛の代わりに、臭化亜鉛を用いた。ＧＣ収率85%、166 mg (57%)、無色液体。
【０１２８】
1H NMR (CDCl3, Me4Si)  δ0.83-0.92(m, 12H), 1.20-1.41(m,, 8H), 1.56(s, 3H), 1.68(s, 3H), 1.94-2.04(m, 8H), 2.75(d, J=7.0HzHz, 2H), 4.96-5.05(m, 2H).  13C NMR (CDCl3, Me4Si)  δ13.91, 14.08, 14.39, 14.65, 17.80, 21.43, 21.82, 22.03, 23.23, 25.81, 29.95, 31.98, 32.04, 32.36, 32.51, 124.96, 128.00, 130.72, 133.53, 138.55, 139.98.  HRMS 計算値 C21H38: 290.2972実験値 290.2980。
【０１２９】
実施例４
１，２―ジエチル−３，４−ジフェニル−１，３，６−ヘプタトリエン
実施例１と同様の手順で行った。但し、ビス（η5−シクロペンタジエニル）２，３，４，５−テトラエチル−１−ジルコナシクロペンタジエンの代わりに、ビス（η5−シクロペンタジエニル）２，３―ジフェニル−４，５−ジエチル−１−ジルコナシクロペンタジエンを用いた。また、１−クロロ−２―プロペンの代わりに、１−ブロモ−２―プロペンを用いた。また、塩化亜鉛の代わりに、臭化亜鉛を用いた。ＧＣ収率66%、130 mg (43%)、無色液体。
【０１３０】
1H NMR (CDCl3, Me4Si)  δ0.93(t, J=7.6Hz, 3H), 1.00(t, J=7.6Hz, 3H), 1.95(q, J=7.5Hz, 2H), 2.10-2.25 (m, 2H), 3.44(d, J=6.4Hz, 2H), 4.80-5.00(m, 2H), 5.56-5.75(m, 2H), 6.95-7.10 (m, 10H). 13C NMR(CDCl3, Me4Si)  δ 12.64, 14.62, 21.15, 22.43, 40.77, 115.35, 125.84, 125.87, 127.27 (2C), 127.52(2C), 130.03(2C), 130.31(2C), 130.66, 136.80, 137.07, 140.94, 141.04, 142.24, 142.81.  HRMS 計算値C23H26: 302.2033,  実験値302.2041。
【０１３１】
実施例５
１，２―ジプロピル−３，４−ジフェニル−１，３，６−ヘプタトリエン
実施例１と同様の手順で行った。但し、ビス（η5−シクロペンタジエニル）２，３，４，５−テトラエチル−１−ジルコナシクロペンタジエンの代わりに、ビス（η5−シクロペンタジエニル）２，３―ジフェニル−４，５−ジプロピル−１−ジルコナシクロペンタジエンを用いた。また、１−クロロ−２―プロペンの代わりに、１−ブロモ−２―プロペンを用いた。ＧＣ収率63%、126 mg (38%)、無色液体。
【０１３２】
1H NMR (CDCl3, Me4Si)  δ 0.84(t, J=7.3Hz, 3H), 1.00 (t, J=7.3Hz, 3H), 1.30-1.40(m, 2H), 1.48-1.55(m, 2H), 1.89(t, J=7.8Hz, 2H), 2.18(q, J=7.3Hz, 2H),  3.44(d, J=6.4Hz, 2H) ,  4.86-4.95(m, 2H), 5.60-5.70(m, 2H), 6.90-7.10(m, 10H).  13C NMR (CDCl3, Me4Si)  δ  14.09, 14.43, 21.39, 23.15, 30.11, 31.75, 40.74, 115.40, 125.79, 125.84, 127.26(2C), 127.49(2C), 129.65, 130.02(2C), 130.29(2C), 136.49, 137.03, 140.55, 141.07, 142.26, 143.39.  HRMS 計算値C25H30: 330.2346, 実験値330.2349。
【０１３３】
実施例６
１，２―ジブチル−３，４−ジフェニル−１，３，６−ヘプタトリエン
実施例１と同様の手順で行った。但し、ビス（η5−シクロペンタジエニル）２，３，４，５−テトラエチル−１−ジルコナシクロペンタジエンの代わりに、ビス（η5−シクロペンタジエニル）２，３―ジフェニル−４，５−ジブチル−１−ジルコナシクロペンタジエンを用いた。また、１−クロロ−２―プロペンの代わりに、１−ブロモ−２―プロペンを用いた。また、塩化亜鉛の代わりに、臭化亜鉛を用いた。ＧＣ収率34%、86 mg (24%)、無色液体。
【０１３４】
1H NMR (CDCl3, Me4Si)  δ０．８４（t, J=7.1Hz, 3H）, 0.96(t, J=7.1Hz, 3H), 1.21-1.50(m, 8H), 1.88-1.92(m, 2H), 2.19(q, J=7.1Hz, 2H), 3.43(d, J=6.4Hz, 2H), 4.86-4.94(m, 2H), 5.60-5.73(m, 2H), 6.75-7.10(m, 10H).  13C NMR (CDCl3, Me4Si)  δ14.01, 14.06, 22.61, 22.90, 27.69, 29.24, 30.31, 32.19, 40.72, 115.38, 125.79, 125.83, 127.25(2C), 127.48(2C), 129.65, 130.03(2C), 130.30(2C), 136.47, 137.05, 140.45, 141.08, 142.26, 143.41.  HRMS 計算値C27H34: 358.2659, 実験値358.2651。
【０１３５】
実施例７
１，２−ジプロピル−３，４−ジフェニル−７−メチル−１，３，６−オクタトリエン
実施例１と同様の手順で行った。但し、ビス（η5−シクロペンタジエニル）２，３，４，５−テトラエチル−１−ジルコナシクロペンタジエンの代わりに、ビス（η5−シクロペンタジエニル）２，３―ジフェニル−４，５−ジプロピル−１−ジルコナシクロペンタジエンを用いた。また、１−クロロ−２―プロペンの代わりに、１−クロロ−３−メチル−２―ブテンを用いた。また、塩化亜鉛の代わりに、臭化亜鉛を用いた。ＧＣ収率69%、172 mg (48%)、無色液体。
【０１３６】
1H NMR (CDCl3, Me4Si) δ 0.86(t, J=7.3Hz, 3H), 0.99(t, J=7.3Hz, 3H), 1.30-1.57(m, 10H), 1.88-1.91(m, 2H), 2.14-2.20(m, 2H), 3.35(d, J=6.6Hz, 2H), 4.95-5.03(m, 1H), 5.58(t, J=7.3Hz, 1H), 6.90-7.10(m, 10H).  13C NMR (CDCl3, Me4Si)  δ14.04,  14.44, 17.87, 21.39, 23.15, 25.66, 30.20, 31.79, 35.43, 122.95, 125.62,  125.67, 127.19(2C), 127.39(2C), 129.75, 130.04(2C), 130.28(2C), 131.20, 137.97, 140.64, 141.30, 142.34, 142.73,  HRMS計算値C27H34: 358.2659, 実験値358.2670。
【０１３７】
実施例８
１，２−ジブチル−３，４−ジフェニル−７−メチル−１，３，６−オクタトリエン
実施例１と同様の手順で行った。但し、ビス（η5−シクロペンタジエニル）２，３，４，５−テトラエチル−１−ジルコナシクロペンタジエンの代わりに、ビス（η5−シクロペンタジエニル）２，３―ジフェニル−４，５−ジブチル−１−ジルコナシクロペンタジエンを用いた。また、１−クロロ−２―プロペンの代わりに、１−クロロ−３−メチル−２―ブテンを用いた。また、塩化亜鉛の代わりに、臭化亜鉛を用いた。ＧＣ収率70%、182 mg (47%)、無色液体。
【０１３８】
1H NMR (CDCl3, Me4Si) δ0.84(t, J=7.3Hz, 3H), 0.92-0.97(m, 3H), 1.21-1.50(m, 11H), 1.57(s, 3H), 1.89-1.92(m, 2H), 2.00-2.26(m, 2H), 3.34(d, J=6.6Hz, 2H), 4.97-5.02(m, 1H), 5.56(t, J=7.3Hz, 1H), 6.80-7.20(m,10H).  13C NMR (CDCl3, Me4Si)  δ 14.03, 14.09, 17.87, 22.56, 22.91, 25.65, 27.78, 29.28, 30.31, 32.20, 35.40, 122.99, 125.62, 125.67, 127.18(2C), 127.38(2C), , 129.77, 130.05(2C), 130.29(2C), 131.17, 137.95, 140.55, 141.31, 142.38, 142.75.  HRMS 計算値C29H38: 386.2972,  実験値386.2965。
【０１３９】
実施例１〜８の結果を表１に示す。
【０１４０】
【表１】
0004346199.tif 000016
【０１４１】
実施例９
１，２−ジエチル−３−メチルナフタレン、及び１，２−ジエチル−４−メチルナフタレンの混合物
ジルコナインデンは、文献G. ErkerらのJ. Organomet. Chem. 1977, 134. 189に従って合成した。5mlのトルエン中、1.2mmolのビス（η5−シクロペンタジエニル）ジルコニウムジクロリドを溶解し、-78℃で2.4mmolのフェニルリチウムを加えた。１，２−ジフェニルアセチレンを1mmol加えて、80℃で３時間攪拌すると、２，３−ジエチル−１−ジルコナインデンが溶液中に生成した。以下、実施例１と同様の手順を行った。ただし、１−クロロ−２―プロペンの代わりに、１−ブロモ−２―プロペンを用いた。また、塩化亜鉛の代わりに、臭化亜鉛を用いた。
【０１４２】
ＧＣ収率82%、81mg (41%)、無色液体。表記化合物の割合は、1.9:1であった。
【０１４３】
主たる異性体：1H NMR (CDCl3, Me4Si)  δ1.20(t, J=7.4Hz, 3H), 1.30(t, J=7.3Hz, 3H), 2.48(d, J=0.5Hz, 3H), 2.83 (q, J =7.5Hz, 2H), 3.11(q, J=7.6Hz, 2H), 7.30-7.49(m, 3H), 7.69-7.71(m, 1H), 7.97-7.99(m, 1H). 13C NMR (CDCl3, Me4Si)  δ  14.71, 15.51, 20.63, 21.44, 22.76, 123.80, 124.57, 124.92, 126.84, 127.83, 130.76, 132.54, 134.73, 136.77, 138.35。
【０１４４】
副たる異性体： 1H NMR (CDCl3, Me4Si)  δ1.23-1.32(m, 6H), 2.65 (d, J = 0.6Hz, 3H), 2.79(q, J=7.6Hz, 2H), 3.09(q, J=7.5Hz, 2H), 7.30-7.50(m, 3H), 7.95-7.98(m,1 H), 8.05-8.07(m, 1H).  13C NMR (CDCl3, Me4Si)  δ 15.54, 16.08, 19.39, 20.98, 26.55, 124.32, 124.35, 124.64, 125.41, 128.76, 131.67, 132.00, 132.08, 134.59, 138.25.  HRMS 計算値C15H18: 198.1408, 実験値198.1404。
【０１４５】
実施例１０
１，２−ジプロピル−３−メチルナフタレン、及び
１，２−ジプロピル−４−メチルナフタレンの混合物
実施例９と同様の手順で行った。但し、ビス（η5−シクロペンタジエニル）２，３−ジプロピル−１−ジルコナインデンを用いた。また、１−クロロ−２―プロペンの代わりに、１−ブロモ−２―プロペンを用いた。また、塩化亜鉛の代わりに、臭化亜鉛を用いた。ＧＣ収率75%、95 mg (42%) 、無色液体。表記化合物の割合は、7.8:1であった。
【０１４６】
主たる異性体： 1H NMR (CDCl3, Me4Si) δ1.01-1.13(m,6H),1.54-1.70(m, 4H),2.47( d, J=2.0Hz, 3H), 2.73-2.77(m, 2H), 3.02-3.05(m, 2H), 7.34-7.48(m, 3H), 7.68( d, J=7.1Hz, 1H), 7.95(d, J=6.5Hz, 1H),  13C NMR (CDCl3, Me4Si) δ  14.98(2C), 20.94, 23.96, 24.64, 31.03, 32.37, 124.06, 124.40, 124.96, 126.93, 127.89, 131.15, 132.60, 134.96, 135.78, 137.47。
【０１４７】
副たる異性体： 1H NMR chart is overlap with major one except δ 2.62( d, J=1.8Hz, 3H).  13C NMR (CDCl3, Me4Si) δ  14.51, 14.84, 19.49, 24.61, 25.00, 30.44, 35.90, 124.40, 125.42, 129.39, 131.77, 131.80, 132.52, 133.64, 137.18.  There are two C of CH on the benzen ring can't be figure out because of the overlap.  HRMS 計算値C17H22: 226.1720, 実験値226.1720。
【０１４８】
実施例１１
１，２−ジフェニル−３−メチルナフタレン
実施例９と同様の手順で行った。但し、ビス（η5−シクロペンタジエニル）２，３−ジフェニル−１−ジルコナインデンを用いた。また、１−クロロ−２―プロペンの代わりに、１−ブロモ−２―プロペンを用いた。また、塩化亜鉛の代わりに、臭化亜鉛を用いた。ＧＣ収率89%、97mg (33%)、白色固体。
【０１４９】
1H NMR (CDCl3, Me4Si) δ2.25(s,3H), 7.00-7.22(m, 10H), 7.30-7.33(m, 1H), 7.43-7.48(m,2H), 7.76(s, 1H), 7.83(d, J=8.2Hz, 1H).  13C NMR (CDCl3, Me4Si) δ 21.88, 125.33, 125.70, 126.09, 126.29, 126.78, 127.07, 127.39(3C), 127.48(2C), 130.08(2C), 130.99(2C), 131.27, 132.87, 134.40, 138.55, 139.34, 139.82, 140.55.  HRMS 計算値C23H18: 294.1408, 実験値294.1409。
【０１５０】
実施例９〜１１の結果を表２に示す。
【０１５１】
【表２】
0004346199.tif 000017
【０１５２】
【発明の効果】
本発明の方法により、簡易に多置換トリエンを選択的、かつ、一段階の反応で得ることができる。また、簡易に多置換ナフタレンを得ることができる。